【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
データを記憶する方法であって、
記憶すべきデータレコードを受信すること、ならびに
前記データレコードが、タイムスタンプ、前記タイムスタンプによって識別される時点に生成される数値、および前記数値を識別できる第１の組み合わせの識別フィールド値を含むときに、
ユーザ照会に基づく前記データレコードの前処理によって、前記ユーザ照会を満たす対象数値および対象時間、および照会条件としての第２の組み合わせの識別フィールド値を取得することと、
前記第２の組み合わせの識別フィールド値を表す記憶識別、前記対象時間、および前記対象数値を対応付けて第２の情報テーブルに記憶することと、
前記第１の組み合わせの識別フィールド値を第１の情報テーブルに記憶することと、を含み、
前記第１の組み合わせの識別フィールド値は、１つの種類の時間独立多次元識別フィールドの値を含む方法。
【請求項２】
前記データレコードが、前記タイムスタンプ、および前記タイムスタンプによって識別される前記時点に生成される前記数値を含まないが、前記数値を識別できる前記第１の組み合わせの識別フィールド値を含むときに、
前記第１の組み合わせの識別フィールド値を前記第１の情報テーブルに記憶することをさらに含む、請求項１に記載の方法。
【請求項３】
前記第１の組み合わせの識別フィールド値を前記第１の情報テーブルに記憶することは、
前記第１の情報テーブルが前記第１の組み合わせの識別フィールド値を含まないと判断したときに、第１の装置が前記第１の組み合わせの識別フィールド値を前記第１の情報テーブルに書き込むことを可能にするために、前記第１の情報テーブルが記憶されている前記第１の装置に第１の書き込み要求を送信することを含み、
前記第１の書き込み要求は、前記第１の組み合わせの識別フィールド値を含む、請求項１又は２に記載の方法。
【請求項４】
前記第２の組み合わせの識別フィールド値を表す前記記憶識別、前記対象時間、および前記対象数値を前記第２の情報テーブルに記憶することは、
第２の装置が、前記第２の組み合わせの識別フィールド値を表す前記記憶識別を判断し、前記記憶識別、前記対象時間、および前記対象数値を対応付けて前記第２の情報テーブルに書き込むことを可能にするために、前記第２の情報テーブルが記憶されている前記第２の装置に第２の書き込み要求を送信することを含み、
前記第２の書き込み要求は、前記第２の組み合わせの識別フィールド値、前記対象時間、および前記対象数値を含む、請求項１又は２に記載の方法。
【請求項５】
データを記憶する装置であって、
記憶すべきデータレコードを受信する受信モジュールと、
前記データレコードが、タイムスタンプ、前記タイムスタンプによって識別される時点に生成される数値、および前記数値を識別できる第１の組み合わせの識別フィールド値を含むときに、
ユーザ照会に基づく前記データレコードの前処理によって、前記ユーザ照会を満たす対象数値および対象時間、ならびに照会条件としての第２の組み合わせの識別フィールド値を取得し、
前記第２の組み合わせの識別フィールド値を表す記憶識別、前記対象時間、および前記対象数値を対応付けて第２の情報テーブルに記憶し、
前記第１の組み合わせの識別フィールド値を第１の情報テーブルに記憶する、第１の記憶モジュールと、を備え、
前記第１の組み合わせの識別フィールド値は、１つの種類の時間独立多次元識別フィールドの値を含む装置。
【請求項６】
前記データレコードが、前記タイムスタンプ、および前記タイムスタンプによって識別される前記時点に生成される前記数値を含まないが、前記数値を識別できる前記第１の組み合わせの識別フィールド値を含むときに、
前記第１の組み合わせの識別フィールド値を前記第１の情報テーブルに記憶する第２の記憶モジュールをさらに備える、請求項５に記載の装置。
【請求項７】
前記第２の記憶モジュールは、
前記データレコードが、前記タイムスタンプ、および前記タイムスタンプによって識別される前記時点に生成される前記数値を含まないが、前記数値を識別できる前記第１の組み合わせの識別フィールド値を含むときに、
前記第１の情報テーブルが前記第１の組み合わせの識別フィールド値を含まないと判断したときに、第１の装置が前記第１の組み合わせの識別フィールド値を前記第１の情報テーブルに書き込むことを可能にするために、前記第１の情報テーブルが記憶されている前記第１の装置に第１の書き込み要求を送信し、
前記第１の書き込み要求は、前記第１の組み合わせの識別フィールド値を含む、請求項６に記載の装置。
【請求項８】
前記第１の記憶モジュールは、
前記データレコードが、前記タイムスタンプ、前記タイムスタンプによって識別される時点に生成される前記数値、および前記数値を識別できる前記第１の組み合わせの識別フィールド値を含むときに、
前記ユーザ照会に基づく前記データレコードの前記前処理によって、ユーザ照会を満たす前記対象数値および前記対象時間、および照会条件としての第２の組み合わせの識別フィールド値を取得し、
第２の装置が、前記第２の組み合わせの識別フィールド値を表す前記記憶識別を判断し、前記記憶識別、前記対象時間、および前記対象数値を対応付けて前記第２の情報テーブルに書き込むことを可能にするために、前記第２の情報テーブルが記憶されている前記第２の装置に第２の書き込み要求を送信し、
前記第１の情報テーブルが前記第１の組み合わせの識別フィールド値を含まないと判断したときに、前記第１の装置が前記第１の組み合わせの識別フィールド値を前記第１の情報テーブルに書き込むことを可能にするために、前記第１の情報テーブルが記憶されている前記第１の装置に前記第１の書き込み要求を送信し、
前記第１の組み合わせの識別フィールド値は、１つの種類の時間独立多次元識別フィールドの値を含み、前記第２の書き込み要求は、前記第２の組み合わせの識別フィールド値、前記対象時間、および前記対象数値を含む、請求項５から請求項７のいずれか一項に記載の装置。
【請求項９】
データを照会する方法であって、
照会要求を受信することと、
前記照会要求が、照会条件としてのフィルタリング条件を含むが、対象時間を含まないときに、
第１の情報テーブルに記憶された複数の第１の組み合わせの識別フィールド値の中で、前記フィルタリング条件に従って照会を実行することによって、前記フィルタリング条件を満たす第１の組み合わせの識別フィールド値を取得することであって、
前記第１の組み合わせの識別フィールド値の値のセットが、１つの種類の時間独立多次元識別フィールドの値を含み、前記フィルタリング条件が、前記識別フィールドの一部の値を含むことと、
前記照会要求が、前記照会条件として、第２の組み合わせの識別フィールド値、および前記対象時間を含むときに、
前記第２の組み合わせの識別フィールド値を表す前記記憶識別、および前記対象時間に従って第２の情報テーブル内の照会を実行することによって、前記対象時間に対応する対象数値、および前記記憶識別を取得することと、を含む方法。
【請求項１０】
データを照会する装置であって、
照会要求を受信する受信モジュールと、
前記照会要求が、照会条件としてのフィルタリング条件を含むが、対象時間を含まないときに、
第１の情報テーブルに記憶された複数の第１の組み合わせの識別フィールド値の中で、前記フィルタリング条件に従って照会を実行することによって、前記フィルタリング条件を満たす第１の組み合わせの識別フィールド値を取得し、
前記第１の組み合わせの識別フィールド値の値のセットが、１つの種類の時間独立多次元識別フィールドの値を含み、前記フィルタリング条件が、前記識別フィールドの一部の値を含む第１の照会モジュールと、
前記照会要求が、照会条件として、第２の組み合わせの識別フィールド値、および対象時間を含むときに、
前記第２の組み合わせの識別フィールド値を表す前記記憶識別、および前記対象時間に従って第２の情報テーブル内の照会を実行することによって、前記対象時間に対応する対象数値、および前記記憶識別を取得する、第２の照会モジュールと、を含む装置。
【請求項１１】
データを記憶する方法を装置に実行させる前記装置の少なくとも１つのプロセッサによって実行可能な命令のセットを記憶する非一時的コンピュータ可読媒体であって、前記方法は、
記憶すべきデータレコードを受信すること、ならびに
前記データレコードが、タイムスタンプ、前記タイムスタンプによって識別される時点に生成される数値、および前記数値を識別できる第１の組み合わせの識別フィールド値を含むときに、
ユーザ照会ニーズに基づく前記データレコードの前処理によって、前記ユーザ照会ニーズを満たす対象数値および対象時間、ならびに照会条件としての第２の組み合わせの識別フィールド値を取得することと、
前記第２の組み合わせの識別フィールド値を表す記憶識別、前記対象時間、および前記対象数値を対応付けて第２の情報テーブルに記憶することと、
前記第１の組み合わせの識別フィールド値を第１の情報テーブルに記憶することと、を含み、
前記第１の組み合わせの識別フィールド値は、１つの種類の時間独立多次元識別フィールドの値を含む、非一時的コンピュータ可読媒体。
【請求項１２】
データを照会する方法を装置に実行させる前記装置の少なくとも１つのプロセッサによって実行可能な命令のセットを記憶する非一時的コンピュータ可読媒体であって、前記方法は、
照会要求を受信することと、
前記照会要求が、照会条件としてのフィルタリング条件を含むが、対象時間を含まないときに、
第１の情報テーブルに記憶された複数の第１の組み合わせの識別フィールド値の中で、前記フィルタリング条件に従って照会を実行することによって、前記フィルタリング条件を満たす第１の組み合わせの識別フィールド値を取得することであって、
前記第１の組み合わせの識別フィールド値の値のセットが、１つの種類の時間独立多次元識別フィールドの値を含み、前記フィルタリング条件が、前記識別フィールドの一部の値を含むことと、
前記照会要求が、照会条件として、第２の組み合わせの識別フィールド値、および対象時間を含むときに、
前記第２の組み合わせの識別フィールド値を表す前記記憶識別、および前記対象時間に従って第２の情報テーブル内の照会を実行することによって、前記対象時間に対応する対象数値、および前記記憶識別を取得することと、を含む、非一時的コンピュータ可読媒体。